(57)【要約】【課題】肌への浸透が良く、もちもち感が得られる化粧料用電解水を提供する。【解決手段】原水に化粧用精製水（オルガノ（株）社製）を採用し、この化粧用精製水５００ｍｌに３０ｇの硫酸カリウムを溶かして中間液を作製し、これを３室型電解装置で電気分解し、酸化側（アノード室）で２５℃のときにｐＨ２．６３である酸性電解水を得て、これを含ませて化粧料用途の化粧料用電解水を構成する。【選択図】なし【特許請求の範囲】
【請求項１】
精製水又は純水を原水とし、無機物質を支持電解質として電気分解して得られる酸性電解水を含んで構成される化粧料用途の化粧料用電解水であって、
前記酸性電解水は、ｐＨ２．０〜７．０であり、ヒドロキシ基を官能基として含む物質が溶解していることを特徴とする化粧料用電解水。
【請求項２】
前記無機物質が硫酸カリウム、炭酸水素カリウム、リン酸二水素カリウム、硫酸ナトリウム、炭酸水素ナトリウム又はリン酸二水素ナトリウムの何れかの塩であることを特徴とする請求項１に記載の化粧料用電解水。
【発明の詳細な説明】
【技術分野】
【０００１】
本発明は、水の電気分解から得られる電解水を化粧料向けにした化粧料用電解水に関し、肌への浸透が良く、もちもち感が得られる化粧料用電解水に関する。
【背景技術】
【０００２】
従来から、水の電気分解から得られる電解水は水分子（クラスター）が小さいために、肌への浸透性が高いといわれている。この特徴に鑑みてスキンケア、化粧料等として電解水を利用することに関し、例えば下記特許文献１，２等に報告がある。
【０００３】
一方、化粧料では一般に、増粘剤を添加することで肌へのもちもち感（肌がふっくらとして張りのあるさま）を得ているとされる。増粘剤としては、例えば、カルボキシメチルセルロース、アルギン酸ナトリウム、メチルセルロース、ヒドロキシエチルセルロース、ポリビニルピロリドン、ポリビニルアルコール、ポリアクリル酸ナトリウム、キサンタンガム、トラガントガム、グァーガム、海藻類などが使用されている。増粘剤を含んで構成した化粧料の例が、下記特許文献３，４等に提案されている。
【先行技術文献】
【特許文献】
【０００４】
【特許文献１】特開２００５−２８１１７７号公報
【特許文献２】特開２００７−７５９１号公報
【特許文献３】特開２０１３−５３０９０号公報
【特許文献４】特開２０１３−１１２６７９号公報
【発明の概要】
【発明が解決しようとする課題】
【０００５】
最近、官能基であるヒドロキシ基（ヒドロキシル基、水酸基等とも称される。）が、粘性を生み出して肌にもちもち感を与えているという指摘がある。増粘剤として上述した化合物の構造を鑑みれば、ヒドロキシ基を有していることが分かる。したがって、電解水として肌への浸透性が高いという特徴に加え、もちもち感に寄与するヒドロキシ基をその官能基として含む物質が溶けている電解水を得ることができれば、肌への浸透が良く、もちもち感が得られる化粧料向けの水として適用することができる可能性がある。さらに、従来の精製水に代えて電解水を用い、各種の化粧料を構成したりすることもできるので、電解水の適用拡大が非常に期待される。
【０００６】
本発明は、上記実情に鑑み提案され、新たな特徴を備えた電解水を創作し、肌への浸透が良く、もちもち感が得られる化粧料用電解水を提供することを目的とする。
【課題を解決するための手段】
【０００７】
上記目的を達成するため、本発明は、精製水又は純水を原水とし、無機物質を支持電解質として電気分解して得られる酸性電解水を含んで構成される化粧料用途の化粧料用電解水であって、前記酸性電解水は、ｐＨ２．０〜７．０であり、ヒドロキシ基を官能基として含む物質が溶解していることを特徴とする。
【０００８】
さらに、前記無機物質が硫酸カリウム、炭酸水素カリウム、リン酸二水素カリウム、硫酸ナトリウム、炭酸水素ナトリウム又はリン酸二水素ナトリウムの何れかの塩であることを特徴とする。
【発明の効果】
【０００９】
本発明に係る化粧料用電解水は、化粧料用途であって、ｐＨ２．０〜７．０であり、ヒドロキシ基を官能基として含む物質が溶解している酸性電解水を含んで構成されている。したがって、電解水であるので肌への浸透力の高い水を得ることができる。また、ヒドロキシ基を官能基として含む物質が溶解しているので、肌にもちもち感を与えることもできる。そして、浸透させた肌の深部へ、もちもち感をもたらすことができるので、もちもち感を持続的かつ効果的に付与することができる。
【００１０】
特に、上記無機物質を硫酸カリウム、炭酸水素カリウム、リン酸二水素カリウム、硫酸ナトリウム、炭酸水素ナトリウム又はリン酸二水素ナトリウムの何れかの塩とすることにより、ｐＨ２．０〜７．０のヒドロキシ基を官能基として含む物質が溶解している酸性電解水を、電気分解時の電流値等を容易に制御することができ、安定した流量で得ることができるようになる。したがって、上述した効果を有する化粧料用電解水を、容易かつコスト的に有利に得ることができる。
【発明を実施するための形態】
【００１１】
以下、本発明に係る化粧料用電解水を生成するための実施形態を説明する。なお、この実施形態は本発明の構成を具現化した例示に過ぎず、特許請求の範囲に記載した事項を逸脱することがなければ、種々の設計変更を行うことができる。
【００１２】
一般に、電解水を生成するための電解装置は、隔膜のない１室型、１枚の隔膜で２槽に分割した２室型、及びアノード室、中間室、カソード室の３層に分割した３室型等に大まかに分類される。本発明に係る本発明に係る化粧料用電解水は、隔膜のない無隔膜電解装置以外の、隔膜を有する２室型、３室型等の電解装置から生成される。
【００１３】
原水には、精製水又は純水が用いられる。精製水とは、日本薬局方に定められている精製水の規格を満たすものをいう。例えば、「常水」が用いられ、必要な前処理を経て、イオン交換、蒸留、逆浸透又は微生物及び分子量約６０００以上の物質を除去できる限外ろ過などを単独或いは組み合わせて用いたシステムにより製造される精製水を採用すればよい。また、純水は、例えば、導電率が２５℃において１００μＳ／ｃｍ以下のものであれば用いることができる。本発明において、導電率が２５℃において１０μＳ／ｃｍ以下の純水を採用することが好ましい。電気分解によって小さい水分子（クラスター）の電解水が得られ、かつ、ヒドロキシ基によるもちもち感が発揮されやすくなるからである。
【００１４】
本発明に係る化粧料用電解水は、化粧料用途であって、無機物質を支持電解質として生成される酸性電解水を含んでいる。支持電解質としての無機物質（塩）は、電気分解して得られる酸性電解水にヒドロキシ基を官能基として含む物質が溶解するようになるものであれば採用しえる。特に、酸性電解水にヒドロキシ基を官能基として含む物質が溶解するようになるアルカリ金属塩を支持電解質として採用することが好ましい。本発明に係る化粧料用電解水を構成する酸性電解水を、電気分解時の電流値等を容易に制御しつつ、安定した流量で得ることができるからである。そのようなアルカリ金属塩として具体的には、炭酸水素カリウム〔ＫＨＣＯ3〕、炭酸水素ナトリウム〔ＮａＨＣＯ3〕、リン酸二水素カリウム〔ＫＨ2ＰＯ4〕、リン酸二水素ナトリウム〔ＮａＨ2ＰＯ4〕、硫酸カリウム〔Ｋ2ＳＯ4〕、硫酸ナトリウム〔Ｋ2ＳＯ4〕等の塩を例示することができる。また、電気分解して得られる酸性電解水は、ｐＨ２．０〜７．０である。本発明に係る化粧料用電解水を構成する際には、上記酸性電解水に、電気分解して得られるアルカリ性電解水、その他の精製水又は純水を加えて構成してもよく、上記酸性電解水のみから構成してもよい。なお、本実施形態において、電解装置のアノード室で得られる電解水を酸性電解水、カソード室で得られる電解水をアルカリ性電解水と称する。
【実施例】
【００１５】
以下、本発明に係る化粧料用電解水の構成例（実施例）をいくつか説明していく。本構成例では、３室型の電解水生成装置（以下、「本装置」という。）を利用した。本装置は、精製水や純水である原水及び、この原水に溶け込んだ支持電解質が循環して流出入する中間室と、この中間室との間に陽イオン交換膜及び陰極が仕切りとして配設され、支持電解質のうちの陽イオンが溶け込むカソード室と、中間室との間に陰イオン交換膜及び陽極が仕切りとして配設され、支持電解質のうちの陰イオンが溶け込むアノード室とから構成される。本装置は、１５０Ｗ又は３００Ｗの定電圧回路を備え、電流値の稼働可能範囲が３Ａ〜２５Ａである。
【００１６】
本装置を用い、中間室で支持電解質が溶け込んだ原水を循環させ、電気分解を行うとともに、カソード室、アノード室に原水をそれぞれ流し入れることにより、カソード室からアルカリ性電解水を、アノード室から酸性電解水を、それぞれ生成することができる。
【００１７】
（実施例１）
実施例１は、硫酸カリウム〔Ｋ2ＳＯ4〕を支持電解質としてｐＨ２．６３の酸性電解水を得て、これを含んで構成した化粧料用途の化粧料用電解水の例である。
【００１８】
実施例１の化粧料用電解水は、原水に化粧用精製水（オルガノ（株）社製）を採用し、この化粧用精製水５００ｍｌに３０ｇの硫酸カリウムを溶かして中間液を作製し、これを３室型電解装置で電気分解した。電気分解時の電圧は１４．３Ｖ、電流値は開始時が７．２Ａ、３０分後が８．５Ａだった。還元側（カソード室）はｐＨ１１．６５、流量が１．５Ｌ／Ｍ（毎分１．５リットル）、酸化側（アノード室）はｐＨ２．６３、流量が１．５Ｌ／Ｍ（毎分１．５リットル）だった。中間液は開始時がｐＨ７、３０分後がｐＨ１．３だった。電気分解を中止する等の支障が生じることなく、酸化側（アノード室）でｐＨ２．６３の酸性電解水を得ることができた。なお、ｐＨの値は２５℃のものである。
【００１９】
（実施例２）
実施例２は、炭酸水素ナトリウム〔ＮａＨＣＯ3〕を支持電解質としてｐＨ６．２６の酸性電解水を得て、これを含んで構成した化粧料用途の化粧料用電解水の例である。
【００２０】
実施例２の化粧料用電解水は、原水に化粧用精製水（オルガノ（株）社製）を採用し、この化粧用精製水５００ｍｌに約６５ｇの炭酸水素ナトリウムを溶かして中間液を作製し、これを３室型電解装置で電気分解した。電気分解時の電圧は１６．２Ｖ、電流値は開始時が６．５Ａ、１５分後が８．１Ａだった。還元側（カソード室）はｐＨ１１．２８（２６．５℃）、流量が１．０Ｌ／Ｍ、酸化側（アノード室）はｐＨ６．２６、流量が０．４Ｌ／Ｍだった。中間液は開始時がｐＨ８．２０、１５分後がｐＨ８．６２だった。電気分解を中止する等の支障が生じることなく、酸化側（アノード室）でｐＨ６．２６の酸性電解水を得ることができた。なお、アノード室のｐＨ（２６．５℃）を除いて２５℃のものである。
【００２１】
（実施例３）
実施例３は、リン酸二水素ナトリウム〔ＮａＨ2ＰＯ4〕を支持電解質としてｐＨ３．０６の酸性電解水を得て、これを含んで構成した化粧料用途の化粧料用電解水の例である。
【００２２】
実施例３の化粧料用電解水は、原水に化粧用精製水（オルガノ（株）社製）を採用し、この化粧用精製水５００ｍｌに１５０ｇのリン酸二水素ナトリウムを溶かして中間液を作製し、これを３室型電解装置で電気分解した。電気分解時の電圧は１６．５Ｖ、電流値は開始時が４．１Ａ、３０分後が６．２Ａだった。還元側（カソード室）はｐＨ１１．２（２６．５℃）、流量が１．０Ｌ／Ｍ、酸化側（アノード室）はｐＨ３．０６、流量が０．４Ｌ／Ｍだった。中間液は開始時がｐＨ３．９５、１５分後がｐＨ３．６５だった。電気分解を中止する等の支障が生じることなく、酸化側（アノード室）でｐＨ３．０６の酸性電解水を得ることができた。なお、アノード室のｐＨ（２６．５℃）を除いて２５℃のものである。
【００２３】
上述した実施例１〜３の化粧料用電解水により、官能試験を実施した。まず、成人の男女３０人に使用してもらい、化粧用精製水（オルガノ（株）社製）と実施例１の硫酸カリウムを支持電解質として得られた酸性電解水を含む化粧料用電解水とで、肌へのもちもち感（肌がふっくらとして張りのあるさま）の優劣を比べた。その結果を下記［表１］に示す。また、比較例１として、所謂プラセボ効果を除くため、塩化ナトリウムを支持電解質として化粧用精製水（オルガノ（株）社製）を電気分解し、得られた酸性電解水を含んで構成した電解水（以下、「比較例電解水」という。）を用い、比較例電解水と化粧用精製水とにおいても、その得られる肌へのもちもち感の優劣を比べた。
【００２４】
【表１】
2015016441.tif 000002
【００２５】
［表１］から、実施例１の化粧料用電解水は化粧用精製水に比べて肌へのもちもち感に優れる、と感じた人が大勢を占めたことが分かる。その一方で、比較例電解水が化粧用精製水に比べて肌へのもちもち感に優れるとは認められなかった。すなわち、肌へのもちもち感を得るには、クラスターの細かな電解水というプラセボによることなく（単に電解水であることだけでは足りず）、電解水中にヒドロキシ基を官能基として含む物質が溶解していることが必要であることが理解される。
【００２６】
また、成人の男女３０人に使用してもらい、実施例１の硫酸カリウムを支持電解質として得られた酸性電解水を含む化粧料用電解水に比べ、実施例２の炭酸水素ナトリウムを支持電解質として得られた酸性電解水を含む化粧料用電解水や、実施例３のリン酸二水素ナトリウムを支持電解質として得られた酸性電解水を含む化粧料用電解水が、肌へのもちもち感で優れるか否かを比べた。その結果を下記［表２］に示す。
【００２７】
【表２】
2015016441.tif 000003
【００２８】
［表２］から、実施例１と実施例２とでは、肌へのもちもち感でどちらが優れるとは言い難く、すなわち同程度のもちもち感を与える化粧料用電解水であることが理解される。また、実施例３の化粧料用電解水は、実施例１の化粧料用電解水は化粧用精製水に比べて肌へのもちもち感に優れる、と感じた人が大勢を占めたことが分かる。リン酸二水素ナトリウムを支持電解質として得られた酸性電解水を含む化粧料用電解水が肌へのもちもち感にもっとも優れる理由は、その電離度による、または、分子内のヒドロキシ基の数が多い（酸性電解水中において、リン酸二水素イオンは分子内に２つのヒドロキシ基を含み、炭酸水素イオンや硫酸水素イオンは分子内に１つのヒドロキシ基を含む。）ことによるものと示唆される。そして、実施例１〜３の化粧料用電解水を構成する酸性電解水は、ｐＨ２．０〜７．０であって、ヒドロキシ基を官能基として含む物質が溶解しているという特徴で共通している。
【００２９】
以上から、実施例１〜３の化粧料用電解水は、少なくとも化粧用精製水に比べて肌のもちもち感に優れ、電解水の特徴である水分子（クラスター）が小さいことを鑑みれば、肌の深部へ浸透し、そのもちもち感を持続的かつ効果的に付与することができるものと期待される。したがって、実施例１〜３の化粧料用電解水は、そのものを化粧料として利用することができるのみならず、例えば、化粧料を構成するに際して従来の精製水に代えて本発明に係る化粧料用電解水を用い、各種の化粧料を構成したりすることもできる。
【００３０】
各種の化粧料として、例えば、ファンデーション、口紅、ほお紅、アイメイク、おしろいまたはボディパウダー、メイクアップ除去剤としてのメイクアップ剤、ボディパウダー、ネイルエナメル 、除光液（リムーバー）としてのマニキュアまたはペディキュア剤、シャンプー、パーマ剤、整髪剤、ヘアブリーチ剤、ヘアカラー剤、ヘアーコンディショナー剤としての毛髪手入れ用製剤、育毛剤・ヘアトニックとしての発毛促進あるいは発毛抑制をする剤、シェービング剤、脱毛剤・除毛剤としての除毛剤または除毛補助剤、制汗剤または身体防臭剤、サンスクリーン剤としての外部の影響から防護するため皮膚に直接接触させる製剤、入浴剤、美白用化粧料保湿、肌荒れ防止用化粧料、抗酸化用化粧料、しわ・たるみ改善用化粧料、創傷治癒・細胞賦活用化粧料、アクネ用化粧料、敏感肌用化粧料、抗老化用化粧料としてのスキンケア剤等を構成するための精製水に変わる水として、本発明に係る化粧料用電解水が適用できる。
【００３１】
以上、本発明の実施形態を例示して詳述したが、上述したとおり、本発明は上記実施形態に限定されるものではない。特許請求の範囲に記載した事項を逸脱することがなければ、種々の設計変更を行うことができる。すなわち、本発明に係る化粧料用電解水は、電気分解して得られる酸性電解水にヒドロキシ基を官能基として含む物質が溶解している限り、上述した無機物質以外にも各種の物質（化合物）を支持電解質として採用することができる。
【００３２】
さらに、本発明に係る化粧料用電解水は、ｐＨ２．０〜７．０であって、ヒドロキシ基を官能基として含む物質が溶解している酸性電解水に、電気分解して得られるアルカリ性電解水、その他の精製水又は純水を加えた構成であってもよく、上記したような酸性電解水のみの構成であってもよく、どちらの構成例であっても特許を受けようとする発明の範囲に含まれるものである。